(57)【要約】【課題】屋内全体の換気が空気のどのような流れによって行われるかを一般の人にも容易に理解してもらえる、屋内換気の表現装置等を提供する。【解決手段】居室５等のフレッシュゾーンと、トイレ室６等のダーティーゾーンとが、通気部１０を備えた仕切り８で仕切られ、各ゾーン５，６が外から透明板１１で透視可能に閉じられた建物模型２を備える。建物模型２には、フレッシュゾーン５の空気を扉８の通気部１０を通じてダーティーゾーン６に送り、外に排気して屋内を換気する換気システム３が付けられている。また、建物模型２のフレッシュゾーン５に発煙口４があり、発煙口４を通じてフレッシュゾーン５に煙を送り込めるようになっている。かかる装置１を用い、換気システム３の駆動と、発煙口４を通じた煙を送り込みを行い、煙の流れを見てもらう。【選択図】      図１
2006105411.tif 000002
【特許請求の範囲】
【請求項１】
居室等のフレッシュゾーンと、トイレ室等のダーティーゾーンとが、通気部を備えた仕切りで仕切られ、各ゾーンが外から透視可能に閉じられた建物模型を備え、
該建物模型に、フレッシュゾーンの空気を仕切りの通気部を通じてダーティーゾーンに送り、ダーティーゾーンを通じて外に排気して屋内の換気を行う換気システムが備えられ、
建物模型のフレッシュゾーンに、発煙口が備えられ、該発煙口を通じてフレッシュゾーンに煙を送り込むことができるようになされていることを特徴とする屋内換気の表現装置。
【請求項２】
請求項１に記載の屋内換気の表現装置を用い、換気システムを駆動し、発煙口を通じてフレッシュゾーンに煙を送り込み、煙の流れを見てもらうことを特徴とする屋内換気の表現方法。
【発明の詳細な説明】
【技術分野】
【０００１】
本発明は、屋内換気の表現装置及び表現方法に関する。
【背景技術】
【０００２】
建物の高気密化に伴い、屋内全体を対象とする計画換気が行われるようになっているが、実際にどのような空気の流れで屋内が換気されているのかを、一般の人は、よく理解していない場合が少なくなく、屋内の換気が促進されるように、冬期暖房中や夏期冷房中に居室の扉や窓を開けたままにしたり、トイレ等の扉を開放したままにすることがある。
【発明の開示】
【発明が解決しようとする課題】
【０００３】
本発明は、上記のような問題点に鑑み、屋内全体の換気が、空気のどのような流れによって行われるのかを、一般の人にも容易に理解してもらうことができる、屋内換気の表現装置及び表現方法を提供することを課題とする。
【課題を解決するための手段】
【０００４】
上記の課題は、居室等のフレッシュゾーンと、トイレ室等のダーティーゾーンとが、通気部を備えた仕切りで仕切られ、各ゾーンが外から透視可能に閉じられた建物模型を備え、
該建物模型に、フレッシュゾーンの空気を仕切りの通気部を通じてダーティーゾーンに送り、ダーティーゾーンを通じて外に排気して屋内の換気を行う換気システムが備えられ、
建物模型のフレッシュゾーンに、発煙口が備えられ、該発煙口を通じてフレッシュゾーンに煙を送り込むことができるようになされていることを特徴とする屋内換気の表現装置によって解決される。
【０００５】
また、この装置を用い、換気システムを駆動し、発煙口を通じてフレッシュゾーンに煙を送り込み、煙の流れを見てもらうことを特徴とする屋内換気の表現方法によって解決される。
【０００６】
この表現装置によれば、フレッシュゾーンの空気が仕切りの通気部を通じてダーティーゾーンに送こまれて外に排気される空気の一連の流れを、フレッシュゾーンに備えられた発煙口から発する煙の流れを目視的に見てもらうことができ、それによって、屋内全体の換気が空気のどのような流れによって行われるのかを、一般の人にも容易に理解してもらうことができる。
【０００７】
そして、その理解を得ることによって、換気が促進されるように、例えば、冬期暖房中や夏期冷房中に居室の扉を開いたままにして無駄なエネルギーを消費したり、トイレ等の扉を開放してしまう無駄などをなくしてもらうことなども可能になる。
【発明の効果】
【０００８】
本発明は、以上のとおりのものであるから、屋内全体の換気が、空気のどのような流れによって行われるのかを、一般の人にも容易に理解してもらうことができる。
【発明を実施するための最良の形態】
【０００９】
次に、本発明の実施最良形態を図面に基づいて説明する。
【００１０】
図１に示す表現装置１において、２は建物模型、３は換気システム、４は発煙口である。
【００１１】
建物模型２は、居室５…をフレッシュゾーンとし、トイレ室６…をダーティーゾーンとし、ホール室７を中間ゾーンとしており、各室５…，６…，７は、仕切りを構成する、間仕切り壁、扉８及び床９とで仕切られ、扉８は、床面９との間に通気口１０…が形成されるように設置され、仕切りの通気口が形成されている。そして、各室５…，６…，７は、外から内部を透視できるように開放され、そこに、アクリル板等の透明板１１が取り付けられて、屋内が閉じられた状態にされている。
【００１２】
換気システム３は、建物模型２の屋内を換気するもので、トイレ室６…には、換気ファン付きの排気口１２…が備えられ、一階居室５には自然給気口１３が備えられている。また、ホール室７の天井裏には換気ユニット１４が備えられ、ホール室７の天井面に吸込み口１５が設けられ、二階居室５の天井部には吹出し口１６が設けられ、軒下には、給気口１７と排気口１８とが設けられ、これらによって、屋内全体の計画換気が実際の建物の場合と同様に行われるようになされている。
【００１３】
そして、発煙口４…は、フレッシュゾーンである一階、二階の居室５…に開口し、各発煙口４は、居室５の床面から立ち上げられた煙送り管１９で形成され、煙送り管１９…は、建物模型２の外に導出され、合流管２０と合流され、合流管２０はブロワー２１に延ばされ、ブロワー２１の背部には吸煙部２２が備えられ、ブロワー２１を駆動することにより、吸煙部２２から吸い込まれた煙が管２０，１９…を通じて建物模型２内の居室５に強制的に送り込れるようになされている。なお、煙は、人体に無害なものを使用するのが好ましい。
【００１４】
上記の表現装置１では、図２に示すように、見学者２４に装置１の周りに集まってもらい、換気システム３を駆動すると共に、発煙口４…を通じて居室５…に煙２３を送り込む。すると、居室５の煙２３…は、矢印で示すように、扉８…下の通気口１０…を通じてトイレ室６…の排気口１２から排気されていき、また、ホール室７の吸込み口１５を通じて軒下の排気口１８から排気されていき、見学者２４は、その様子を、煙２３の動きを目で追って見ることができる。また、その状態から煙２３の供給を停止すれば、屋内の煙がどのような流れで希釈されていくかを煙２３の動きを目で追って見ていくことによって知ることができる。それらによって、見学者２４に、屋内全体の換気が空気のどのような流れによって行われるのかを容易に理解してもらうことができ、換気システムに対する正しい理解をもってもらうことができる。
【００１５】
なお、屋内における煙の動きを見やすくするため、各室を囲む面を黒色にし、室内をライトで照らすようにするのもよい。
【００１６】
以上に、本発明の実施形態を示したが、本発明はこれに限られるものではなく、発明思想を逸脱しない範囲で各種の変更が可能である。例えば、上記の実施形態では、建物模型２にフレッシュゾーンとダーティーゾーンと中間ゾーンの３つのゾーンを備えさせた場合を示したが、中間ゾーンは省略されてもよいし、また、中間ゾーンをダーティーゾーンとした構成、例えばトイレ室を省略してホール室のみをダーティーゾーンとして備えさせた建物模型に構成されていてもよい。即ち、「フレッシュゾーン」の語と「ダーティーゾーン」の語は、一方に対する他方の相対的概念として理解されるべきものである。
【図面の簡単な説明】
【００１７】
【図１】実施形態の表現装置を示す正面図である。
【図２】装置を用いて表現している状態を示す表面図である。
【符号の説明】
【００１８】
１…表現装置
２…建物模型
３…換気システム
４…発煙口
５…居室（フレッシュゾーン）
６…トイレ室（ダーティーゾーン）
８…扉（仕切り）
１０…通気口
１１…透明板
２３…煙
２４…見学者
【図１】
2006105411.tif 000003
【図２】
2006105411.tif 000004